(57)【要約】【課題】左右の手と音の高低の対応関係を分かり易く教えることができる音楽用の知育玩具を提供する。【解決手段】音楽知育玩具は、高音部記号７が表示された右手用リストバンド１と、低音部記号８が表示された左手用リストバンド２と、を備えている。各リストバンド１，２の音部記号７，８は、当該リストバンド１，２が腕に装着されたときに手の甲側に露出する部分に表示されている。そして、この音楽知育玩具は、右手用リストバンド１に着脱可能な右手用キャラクター３と、左手用リストバンド２に着脱可能な左手用キャラクター４と、を備えている。【選択図】図１
2014150955.tif 000002
【特許請求の範囲】
【請求項１】
高音部記号が表示された右手用リストバンドと、
低音部記号が表示された左手用リストバンドと、
を備えることを特徴とする音楽知育玩具。
【請求項２】
請求項１に記載の音楽知育玩具であって、
前記右手用リストバンドに着脱可能な右手用キャラクターと、
前記左手用リストバンドに着脱可能な左手用キャラクターと、
を備えることを特徴とする音楽知育玩具。
【請求項３】
請求項２に記載の音楽知育玩具であって、
前記キャラクターと前記リストバンドは、面ファスナーによって着脱可能に構成されていることを特徴とする音楽知育玩具。
【請求項４】
請求項３に記載の音楽知育玩具であって、
前記リストバンドにおいて、細長く形成された前記面ファスナーが５つ並べて配置されるとともに、当該面ファスナーに重畳して前記音部記号が表示されていることを特徴とする音楽知育玩具。
【請求項５】
請求項２から４までの何れか一項に記載の音楽知育玩具であって、
前記キャラクターを前記リストバンドに取り付けた際に、当該リストバンドに表示されている音部記号が隠れることを特徴とする音楽知育玩具。
【請求項６】
請求項２から５までの何れか一項に記載の音楽知育玩具であって、
各リストバンドは、前記キャラクターを収容可能な収容部を備えることを特徴とする音楽知育玩具。
【請求項７】
請求項２から６までの何れか一項に記載の音楽知育玩具であって、
前記右手用キャラクターに設けられ、所定の音を発する高音発音体と、
前記左手用キャラクターに設けられ、前記高音発音体に比べて低い音を発する低音発音体と、
を備えることを特徴とする音楽知育玩具。
【請求項８】
請求項１から７までの何れか一項に記載の音楽知育玩具であって、
前記右手用リストバンドに設けられ、所定の音を発する高音発音体と、
前記左手用リストバンドに設けられ、前記高音発音体に比べて低い音を発する低音発音体と、
を備えることを特徴とする音楽知育玩具。
【請求項９】
請求項７又は８に記載の音楽知育玩具であって、
前記高音発音体及び低音発音体は鈴であることを特徴とする音楽知育玩具。
【請求項１０】
請求項９に記載の音楽知育玩具であって、
前記鈴は、前記リストバンド又は前記キャラクターの外側に、ぶら下げて設けられることを特徴とする音楽知育玩具。
【発明の詳細な説明】
【技術分野】
【０００１】
本発明は、例えば幼児向けの音楽教室で用いられる知育玩具の構成に関する。
【背景技術】
【０００２】
従来から、幼児向けの音楽教室では、楽譜の読み方などを、学習者（幼児）に対していかに分かり易く、楽しく教えるかについて様々な工夫がなされている。その一環として、音楽の学習のための教材ないし知育玩具が各種考案され、利用されている。
【０００３】
例えば特許文献１は、幼児及び児童の音楽教育に用いることを目的とした音符トランプを開示している。この音符トランプの表側表示面には、音部記号（具体的にはト音記号又はヘ音記号）と音符が、五線譜上に表示されている。特許文献１は、この音符トランプによって各種ゲームなどを行うことにより、楽しみながら迅速な読譜を習得できるとしている。
【０００４】
また、音楽教育とは全く関係ない分野であるが、特許文献２は幼児用の玩具を開示している。特許文献２が開示するのは手首に付けて遊ぶ玩具であり、ぬいぐるみの中に鈴を入れてバンドに縫い付けた構成となっている。
【先行技術文献】
【特許文献】
【０００５】
【特許文献１】実用新案登録第３１７９５５７号公報
【特許文献２】実用新案登録第３０４４６９５号公報
【発明の概要】
【発明が解決しようとする課題】
【０００６】
特許文献１は、音符トランプを用いて「ばばぬき」「スピード」「７ならべ」等のゲームで遊べる程度の能力を学習者が有していることが前提となっている。しかし、学習者が幼児の場合、このようなトランプゲームで遊ぶ能力は期待できない。また、特許文献１の音符トランプで遊ぶためには、学習者がある程度の読譜能力を有している必要がある。ところが、学習者が幼児の場合、このような基礎的な読譜能力を期待できない。このように、特許文献１の音符トランプは、幼児を対象とした教材としては必ずしも好適であるとは言えない。
【０００７】
そこで、幼児を対象とした音楽教室では、ごく基礎的な読譜を教えるための教材ないし知育玩具が求められている。特に、幼児にピアノなどの鍵盤楽器を教える場合、左右の手と譜表の対応関係を教えることが学習の第一歩となる。即ち、ピアノなどの鍵盤楽器においては、高音部譜表と低音部譜表を上下に並べた、いわゆる大譜表によって楽譜を表す。一般論としては、高音部譜表に示された音符を右手で、低音部譜表に示された音符を左手で演奏する。従って、右手が高い音に対応し、左手が低い音に対応することを教えることが、読譜の学習の第一歩となる。
【０００８】
ところが、これが案外難しく、読譜の学習の第一歩をなかなか踏み出せないという問題がある。
【０００９】
というのも、幼児にとっては、高音部譜表及び低音部譜表と、左右の手と、の対応関係を理解することは必ずしも容易ではない。大譜表において、高音部譜表と低音部譜表は上下に並んで配置されており、左右の手と直接的に対応した形態では表示されていないからである。また、学習を始めたばかりの幼児にとっては、高音部記号（ト音記号）と低音部記号（ヘ音記号）に馴染みが無く、当該記号から音の高低をイメージすることは容易ではない。そもそも、幼児では「右」と「左」をうまく識別できない場合があるため、左右の手と、音の高低と、の対応関係を教えることが一層困難になる。
【００１０】
本発明は以上の事情に鑑みてされたものであり、その主要な目的は、左右の手と音の高低の対応関係を分かり易く教えることができる音楽用の知育玩具を提供することにある。
【課題を解決するための手段及び効果】
【００１１】
本発明の解決しようとする課題は以上の如くであり、次にこの課題を解決するための手段とその効果を説明する。
【００１２】
本発明の観点によれば、以下の音楽知育玩具が提供される。即ち、この音楽知育玩具は、高音部記号が表示された右手用リストバンドと、低音部記号が表示された左手用リストバンドと、を備える。
【００１３】
このリストバンドを左右の手に装着することにより、音部記号と、左右の手と、の対応関係を分かり易く学習できる。
【００１４】
上記の音楽知育玩具は、前記右手用リストバンドに着脱可能な右手用キャラクターと、前記左手用リストバンドに着脱可能な左手用キャラクターと、を備えることが好ましい。
【００１５】
即ち、音部記号を識別できない幼児の場合であっても、親しみ易いキャラクターを左右のリストバンドにそれぞれ装着することで、左右の手をキャラクターに結びつけて覚えることができる。これにより、読譜の学習に繋げていくことができる。
【００１６】
上記の音楽知育玩具において、前記キャラクターと前記リストバンドは、面ファスナーによって着脱可能に構成されていることが好ましい。
【００１７】
即ち、面ファスナーは軽量かつ柔軟であるため安全であるとともに、キャラクターを着脱する際に大きな力が不要であるため幼児にも取り扱いが容易である。従って、幼児用の知育玩具において、リストバンドにキャラクターを取り付けるための手段としては面ファスナーが特に好適である。
【００１８】
上記の音楽知育玩具の前記リストバンドにおいては、細長く形成された前記面ファスナーが５つ並べて配置されるとともに、当該面ファスナーに重畳して前記音部記号が表示されていることが好ましい。
【００１９】
即ち、リストバンドの表面に面ファスナーをそのまま配置した場合、デザインが損なわれる場合がある。そこで上記のように、細長く形成した面ファスナーを５つ並べて配置することにより、「五線譜」の線に見立てることができる。「五線譜」に重畳させて音部記号を表示すれば、デザイン上の違和感なく面ファスナーを配置できる。
【００２０】
上記の音楽知育玩具においては、前記キャラクターを前記リストバンドに取り付けた際に、当該リストバンドに表示されている音部記号が隠れることが好ましい。
【００２１】
このように、リストバンドの音部記号がわざと隠れるように構成したことにより、学習者である幼児に好奇心を持たせ、興味を引き付けることができる。
【００２２】
上記の音楽知育玩具において、各リストバンドは、前記キャラクターを収容可能な収容部を備えることが好ましい。
【００２３】
これにより、キャラクターが必要ない場合には収容しておくことができる。また、キャラクターをリストバンドに収容することにより、当該キャラクターを学習者である幼児から隠した状態にすることができるので、リストバンドからキャラクターを取り出して見せるにより、幼児の興味を引き、学習効果を高めることができる。
【００２４】
上記の音楽知育玩具は、以下のように構成されることが好ましい。即ち、この音楽知育玩具は、高音発音体と、低音発音体と、を備える。前記高音発音体は、前記右手用キャラクターに設けられ、所定の音を発する。前記低音発音体は、前記左手用キャラクターに設けられ、前記高音発音体に比べて低い音を発する。
【００２５】
２つのキャラクターの一方に高音発音体を、他方に低音発音体を設けることで、キャラクターと、音の高さと、の関係をわかり易く示すことができる。従って、当該キャラクターをリストバンドに装着することで、左右の手と、音の高さと、の関係を直感的に学習できる。
【００２６】
上記の音楽知育玩具は、以下のように構成することもできる。即ち、この音楽知育玩具は、高音発音体と、低音発音体と、を備える。前記高音発音体は、前記右手用リストバンドに設けられ、所定の音を発する。前記低音発音体は、前記左手用リストバンドに設けられ、前記高音発音体に比べて低い音を発する。
【００２７】
これにより、右手が高い音に対応し、左手が低い音に対応していることを、音を使って分かり易く学習できる。
【００２８】
上記の楽知育玩具において、前記高音発音体及び低音発音体は鈴であることが好ましい。
【００２９】
即ち、鈴であれば、リストバンドを振るだけで音を鳴らすことができるし、安価であり、音を出すための電池等も不要である。
【００３０】
上記の音楽知育玩具において、前記鈴は、前記リストバンド又は前記キャラクターの外側に、ぶら下げて設けられることが好ましい。
【００３１】
このように、鈴を外側にぶら下げて設けることにより、当該鈴を十分な音量で、かつ良い音質で鳴らすことができる。
【図面の簡単な説明】
【００３２】
【図１】（ａ）右手用のリストバンド及びキャラクターを示す平面図。（ｂ）左手用のリストバンド及びキャラクターを示す平面図。
【図２】左右の手首に本実施形態のリストバンドを装着した様子を示す斜視図。
【図３】左右のリストバンドに本実施形態のキャラクターを取り付けた様子を示す斜視図。
【図４】リストバンドの収容部からキャラクターを取り出す様子を示す斜視図。
【発明を実施するための形態】
【００３３】
次に、図面を参照して本発明の実施の形態を説明する。図１は、本実施形態の知育玩具を示す平面図である。本実施形態の知育玩具は、幼児向けの音楽教室において、学習者（幼児）の手首に装着し、左右の手と、音の高低と、の関係を教えるために利用されることを想定している。
【００３４】
本実施形態の知育玩具は、右手用リストバンド１、左手用リストバンド２、右手用キャラクター３、左手用キャラクター４から構成されている。
【００３５】
リストバンド１，２は、やわらかく、ある程度の伸縮性を有する布によって帯状に形成されている。リストバンド１，２を布製としたことにより、軽く、付け心地がよいため、学習者である幼児が手首に付けても負担にならない。従って、学習者（幼児）は、本実施形態のリストバンド１，２を手首に装着したままの状態で、ピアノなどの演奏を行うことができる。
【００３６】
リストバンド１，２の長手方向の両端部には、マジックテープ（登録商標）などの面ファスナー５，６が縫い付けられている。なお、一方の面ファスナー５はリストバンドの裏面に縫い付けられているので、図１では点線で図示している。リストバンド１，２を学習者の手首に巻き付けた状態で面ファスナー５，６同士を合わせることにより、当該リストバンド１，２を学習者の手首に固定できる。
【００３７】
なお、音楽教室の教師が自らの手首にリストバンド１，２を装着して、学習者（幼児）に手本を見せるというシチュエーションも考えられる。そこで本実施形態のリストバンド１，２において、リストバンドの長手方向での面ファスナー６の幅を、他方の面ファスナー５よりも大きくしている。即ち、本実施形態のリストバンド１，２は、手首に装着する際の調整代（ちょうせいシロ）を大きくとっている。これにより、大人（音楽教室の教師）から幼児（学習者）まで、リストバンド１，２を手首に装着できるようになっている。
【００３８】
キャラクター３，４は、ぬいぐるみ、人形、又はオブジェ等である。なお、本実施形態のキャラクター３，４は、布製のぬいぐるみであり、中に綿（わた）が詰められた構成としている。これにより、キャラクター３，４がやわらかく、手触りが良いので、学習者である幼児に親しみを感じてもらい易くなっている。また、キャラクター３，４を布製のぬいぐるみとしたので、硬い部分や尖った部分がなく、幼児向けの知育玩具としての安全性にも優れる。
【００３９】
左右のキャラクター３，４は、それぞれを幼児が区別し易いように、互いに明確に異なったキャラクターであることが好ましい。キャラクター３，４としては、実在する動物や人物、あるいはその他の道具や乗り物などを模したものであってもよいし、空想上のキャラクターであってもよく、幼児が親しみを感じ易いものであれば良い。ただし、本願の知育玩具が音楽教育に利用されることを鑑みれば、鳴き声を発する動物であって、かつ当該動物の鳴き声を幼児がイメージし易いキャラクターであることが好ましい。なお、本実施形態において、右手用キャラクター３は「にわとり」、左手用キャラクター４は「かえる」としている。鶏と蛙は幼児にも馴染みがあるし、それぞれの鳴き声をイメージし易いと考えられたためである。
【００４０】
続いて、本実施形態の知育玩具の特徴的な構成と、当該知育玩具を用いた音楽教育方法について説明する。
【００４１】
図１に示すように、右手用リストバンド１には高音部記号（ト音記号）７が、左手用リストバンド２には低音部記号（ヘ音記号）８が、それぞれ表示されている。各音部記号７，８は、リストバンド１，２を手首に付けたときに手の甲側に露出する位置に表示されている。また、各音部記号７，８は、当該記号の左右と、リストバンド１，２の長手方向と、を略一致させて表示されている。
【００４２】
音部記号７，８がこのように表示されているので、学習者がリストバンド１，２を手首に装着してピアノを弾く姿勢（手を伸ばした姿勢）をとったときに、当該学習者から見て音部記号７，８がちょうど正しい向きで表示されることになる（図２の状態）。従って、本実施形態のリストバンド１，２を学習者（幼児）の手首に装着して、ピアノの学習を行うことにより、学習者は、リストバンド１，２に表示された音部記号７，８を確認しながらピアノを弾くことができる。
【００４３】
音部記号７，８を表示する方法は特に限定されない。例えば本実施形態では、音部記号７，８の形に布を切り抜いて、リストバンド１，２の表面に貼り付けることにより、当該音部記号７，８を表示している。この他にも、例えば、リストバンド１，２の表面に、音部記号７，８を印刷しても良い。
【００４４】
本実施形態の知育玩具を利用した音楽教育方法では、学習者の右手に右手用リストバンド１を、左手に左手用リストバンド２を装着する。これにより、学習者に対して、高音部譜表が右手に対応し、低音部譜表が左手に対応していることを、分かり易く示すことができる。また前述のように、学習者は、音部記号７，８を確認しながらピアノを弾くことができる。これにより、左右の手と、音の高低との関係を、学習者が容易に把握できる。
【００４５】
しかし、学習者が幼児である場合、音部記号に馴染んでいない場合がある。このような場合、音部記号７，８を表示したリストバンド１，２を手首に装着しただけでは、学習者の十分な理解が得られない。そこで、このような学習者に対しては、本実施形態の知育玩具が備えるキャラクター３，４を活用する。
【００４６】
以下、キャラクター３，４を利用した音楽教育方法について詳しく説明する。
【００４７】
右手用キャラクター３は、右手用リストバンド１に対して着脱可能に構成されている。また、左手用キャラクター４は、左手用リストバンド２に対して着脱可能に構成されている。キャラクター３，４をリストバンド１，２に対して着脱可能にするための構成は特に限定されないが、本実施形態では面ファスナーを利用している。即ち、キャラクター３，４の適宜の位置には、面ファスナーが縫い付けられている（図示は省略）。また、リストバンド１，２には、前記キャラクターの面ファスナーに対応して、面ファスナー９が設けられている。
【００４８】
面ファスナー９は、リストバンド１，２を手首に付けたときに手の甲側に露出する位置に設けられている。従って、キャラクター３，４を取り付けたリストバンド１，２を学習者が手首に装着して、ピアノを弾く姿勢（手を伸ばした姿勢）をとることで、キャラクター３，４が学習者から良く見える位置となる（図３の状態）。これにより、学習者が、左右のキャラクター３，４を識別し易くなっている。
【００４９】
ところで前述のように、本実施形態の右手用キャラクター３は「にわとり」、左手用キャラクター４は「かえる」としている。ここで、一般的には、鶏は高い鳴き声で鳴くイメージがあり、蛙は低い鳴き声で鳴くイメージがあるものと考えられる。即ち、右手用キャラクター３は、学習者に高い音をイメージさせ、左手用キャラクター４は、学習者に低い音をイメージさせる。
【００５０】
そこで、図３のように、右手用キャラクター３（にわとり）を右手用リストバンド１に、左手用キャラクター４（かえる）を左手用リストバンド２に、それぞれ取り付ける。これによれば、学習者（幼児）は、右手が高い音に対応し、左手が低い音に対応することを、容易にイメージできる。
【００５１】
このように、学習者（幼児）が音部記号７，８に馴染みが無い場合であっても、幼児にとって親しみ易いキャラクター３，４を左右のリストバンド１，２に取り付けることで、右手が高い音に対応し、左手が低い音に対応することを、学習者に対して分かり易く示すことができる。これにより、譜読みの学習に繋げていくことができる。
【００５２】
なお、以上の説明では、右手用キャラクター３（にわとり）が高い声で鳴き、左手用キャラクター４（かえる）が低い声で鳴くイメージがあるものとしたが、これは幼児がそのようなイメージを持ち易いというだけのことであり、必ずしも実際の鳴き声の高低と一致している必要はない。キャラクター３，４として空想上の動物を模したキャラクターを採用した場合などはなおさらである。また、鳴き声を発しない動物や、人物、道具、あるいは乗り物を模したキャラクターであっても良く、要は「高い音」をイメージし易いキャラクターを右手用キャラクター３とし、「低い音」をイメージし易いキャラクターを左手用キャラクター４とすれば良い。
【００５３】
本実施形態のリストバンド１，２は、図１に示すように、キャラクター３，４を取り付けるための面ファスナー９と、音部記号７，８とを、同じ位置に重ねて配置している。より具体的には、本実施形態では、リストバンド１，２に面ファスナー９を縫い付けて（又は貼り付けて）、その上に、音部記号７，８の形に切り抜いた布を貼り付けている。従って、本実施形態のキャラクター３，４は、音部記号７，８の上から取り付けられることになる。
【００５４】
この構成によれば、キャラクター３，４をリストバンド１，２に取り付けた状態では、音部記号７，８がキャラクター３，４に隠れて見えない状態となる（図３の状態）。音楽教室の教師は、リストバンド１，２からキャラクター３，４を取り外すことにより、その下に隠れていた音部記号７，８を学習者（幼児）に提示できる。幼児にとってみれば、キャラクター３，４の下から、思いがけなく音部記号７，８が現れたことになり、興味を引かれる。これにより、左右の手と、キャラクター３，４と、音部記号７，８と、の関係を、幼児に対して興味深く示すことができ、学習効果の向上を期待できる。
【００５５】
ところで、上記の構成によれば、面ファスナー９は、リストバンド１，２の最も目立つ位置に配置されることになる。このため、面ファスナー９をそのままリストバンド１，２に配置すると、リストバンド１，２の見栄えが悪くなってしまう。そこで本実施形態では、図１に示すように、細長く短冊状に形成した面ファスナー９を、間隔を空けて５本並べてリストバンド１，２に配置した構成としている。
【００５６】
即ち、細長い５本の面ファスナー９は、「五線譜」の線をイメージしているのである。そして、本実施形態では、上記のように配置された５本の面ファスナー９の上に、音部記号７，８の形に切り抜いた布を貼り付けている。これにより、音部記号７，８が、「五線譜（面ファスナー９）」に重畳して表示されたかたちとなっているので、デザイン上の違和感が無い。このように、本実施形態の構成によれば、キャラクター３，４を取り付けるための面ファスナー９を、リストバンド１，２の見栄えを損なわずに配置できる。
【００５７】
また、本実施形態では、キャラクター３，４に鈴（発音体）を設けている。具体的には、右手用キャラクター３には高音鈴（高音発音体）１０が、左手用キャラクター４には低音鈴（低音発音体）１１が、それぞれ設けられている。鈴１０，１１は、例えば手芸用として市販されている一般的な鈴を利用できる。低音鈴１１は、高音鈴１０に比べて低い音が鳴るものを採用する。
【００５８】
右手用キャラクター３を右手用リストバンド１に取り付け、当該右手用リストバンド１を装着した右手を振れば、高音鈴１０によって高い音が鳴る。一方、左手用キャラクター４を左手用リストバンド２に取り付け、当該左手用リストバンド２を装着した左手を振れば、低音鈴１１によって低い音が鳴る。従って、学習者は、鈴の音の高低と、左右の手と、の対応関係を把握できる。これにより、右手が高い音に対応し、左手が低い音に対応することを、学習者に対して分かり易く示すことができる。
【００５９】
なお、本実施形態では、キャラクター３，４にそれぞれリボン１２を縫い付けており、当該リボン１２からぶら下げるようにして鈴１０，１１を取り付けている。これにより、鈴１０，１１は、キャラクター３，４の外側でぶら下がった状態となっている。このように、鈴１０，１１をキャラクター３，４の外側に設けたので、例えばキャラクター３，４の内側に鈴１０，１１を配置する場合に比べて、音が篭らず、響き易くなる。また、鈴１０，１１をぶら下げて配置したので、キャラクター３，４を少し振るだけで、鈴１０，１１を大きく搖らすことができる。以上の構成により、鈴１０，１１を、十分な音量で、かつ良好な音色で鳴らすことができるので、学習者の興味を一層引き付けることができる。
【００６０】
また、本実施形態のリストバンド１，２には、ポケット（収容部）１３が形成されている。ポケット１３の開口部は、ジッパー（登録商標）などの線ファスナー１４によって開閉可能に構成されている。右手用リストバンド１のポケット１３には、右手用キャラクター３を収容できる。また、左手用リストバンド２のポケット１３には、左手用キャラクター４を収容できる。
【００６１】
これによれば、ある程度学習が進んで、学習者が音部記号７，８を識別できるようになり、キャラクター３，４を必要としなくなったときに、当該キャラクター３，４をリストバンド１，２に収容しておくことができる。このように、本実施形態の知育玩具は、キャラクター３，４をリストバンド１，２に対して着脱可能かつ収容可能としたので、学習の進み具合に応じて、使用形態を柔軟に変更できる。
【００６２】
また、それほど学習が進んでいない場合であっても、キャラクター３，４をリストバンド１，２に収容することで、当該キャラクター３，４を学習者（幼児）から隠すことができる。これにより、幼児の興味を引き、図４に示すように、リストバンドからキャラクターを取り出して見せることで、幼児を喜ばせることができる。このとき、例えば、リストバンドの中に何のキャラクターが入っているかをクイズ形式で幼児に問い掛けることにより、左右の手とキャラクター３，４の対応関係を幼児に考えさせ、印象付けることができる。また、キャラクター３，４をリストバンド１，２に収容した状態で、当該リストバンド１，２を振れば、中の鈴１０，１１の音を聞くことができる。従って、例えば、上記のようにクイズ形式で問い掛ける際に、鈴１０，１１の音をヒントにすることで、幼児により一層興味を持たせ、左右の手と、音の高低と、の対応関係を印象付けることができる。
【００６３】
なお、ある程度学習が進めば、学習者は、鈴１０，１１の音が無くとも、左右の手と、音の高低と、の関係を把握できるようになる。このようになってくると、リストバンド１，２を装着してピアノを弾くときに、鈴１０，１１の音が鳴ってしまうとかえって邪魔になる。このような場合は、キャラクター３，４をリストバンド１，２から取り外して、ポケット１３からも取り出した状態としておけば良い。これによれば、リストバンド１，２を振っても鈴１０，１１は鳴らないので、リストバンド１，２を装着したままピアノを弾いても鈴の音が邪魔になるということがない。このように、本実施形態では、着脱可能なキャラクター３，４に鈴１０，１１を配置した構成としたので、学習の進み具合に応じて、鈴１０，１１の有無を変更でき、柔軟な対応が可能である。
【００６４】
以上で説明したように、本実施形態の音楽知育玩具は、高音部記号７が表示された右手用リストバンド１と、低音部記号８が表示された左手用リストバンド２と、を備えている。各リストバンド１，２の音部記号７，８は、当該リストバンド１，２が腕に装着されたときに手の甲側に露出する部分に表示されている。
【００６５】
このリストバンド１，２を左右の手に装着することにより、音部記号７，８と、左右の手と、の対応関係を分かり易く学習できる。
【００６６】
そして、本実施形態の音楽知育玩具は、右手用リストバンド１に着脱可能な右手用キャラクター３と、左手用リストバンド２に着脱可能な左手用キャラクター４と、を備えている。
【００６７】
即ち、音部記号を識別できない幼児の場合であっても、親しみ易いキャラクター３，４を左右のリストバンド１，２にそれぞれ装着することで、左右の手をキャラクターに結びつけて覚えることができる。これにより、読譜の学習に繋げていくことができる。
【００６８】
以上に本発明の好適な実施の形態を説明したが、上記の構成は例えば以下のように変更することができる。
【００６９】
リストバンド１，２は、左右で色分けしていれば、左右の識別が容易になるため更に好適である。例えば、右手用リストバンド１を赤色、左手用リストバンド２を青色とする。もちろんこれに限らず、他の色を採用しても良い。また、例えば、左右のリストバンド１，２に、互いに異なる模様を付しても良い。
【００７０】
リストバンドとキャラクターを着脱可能にする手段としては、面ファスナーの他にも、例えば磁石、スナップボタンなど、適宜の構成を利用できる。
【００７１】
上記実施形態において、鈴１０，１１は、キャラクター３，４に取り付ける構成としたが、これに代え、或いはこれに加えて、リストバンド１，２に鈴を設けても良い。
【００７２】
上記実施形態において、鈴１０，１１は、外側にぶら下げて設けるものとしたが、これに限らない。例えば、キャラクター３，４やリストバンド１，２の内側に、鈴１０，１１を縫い付ける構成でも良い。この場合、鈴の音が小さくなり、音質も悪くなると考えられるが、鈴１０，１１が外部に露出しないため、当該鈴１０，１１が何かに引っ掛かって取れたりすることを防止できるので、耐久性の面で優れる。
【００７３】
上記実施形態において、発音体は鈴であるとしたが、左右で異なる高さの音を発することができれば何でもよく、例えば電子ブザーなどを採用することもできる。ただし、鈴であれば、リストバンドを振るだけで音が出るし、電池も不要であるため好適である。
【符号の説明】
【００７４】
１  右手用リストバンド
２  左手用リストバンド
３  右手用キャラクター
４  左手用キャラクター
７  高音部記号
８  低音部記号
１３  収容部
【図１】
2014150955.tif 000003
【図２】
2014150955.tif 000004
【図３】
2014150955.tif 000005
【図４】
2014150955.tif 000006